(57)【要約】      （修正有）【課題】容器の寸法や形状に関わらず、注出口から直接注水することが可能なウォーターサーバー用の注出口アダプター取付構造を提供する。【解決手段】ウォーターサーバー４本体の注出口に取り付けられた基部１と、基部に着脱自在に冠着されたアダプター２とを備え、アダプターの底面側にはチューブ３が取り付けられ、基部およびアダプターには注出口とチューブを連通する孔部１２，２３，２４が貫穿されている。孔部１２は、基部内に縦方向に貫通形成されており、ウォーターサーバーの抽出用パイプ４４が挿入されている。【選択図】図１
0003187220.tif 000002
【実用新案登録請求の範囲】
【請求項１】
ウォーターサーバー本体の注出口に取り付けられた基部と、該基部に着脱自在に冠着されるアダプターとを備え、該アダプターの底面側にはチューブが取り付けられ、該基部および該アダプターには前記注出口と前記チューブを連通する孔部が貫穿されているウォーターサーバー用の注出口アダプター取付構造。
【請求項２】
前記基部は、ウォーターサーバーの注出用パイプが挿入される孔部が貫穿された略円筒形に形成されている請求項１に記載のウォーターサーバー用の注出口アダプター取付構造。
【請求項３】
前記アダプターは、天面側に前記基部を挿入するための凹陥部が形成されており、該凹陥部の内周面と、前記基部の周壁の外周面には、アダプターと基部の係止手段がそれぞれ形成されていることを特徴とする請求項１または２に記載のウォーターサーバー用の注出口アダプター取付構造。
【請求項４】
前記係止手段は、前記基部の周壁の外周面下端から中程にかけて設けられたガイド溝および、該ガイド溝の先端に設けられた係止凹部と、前記アダプターの凹陥部の内周面に設けられた前記係止凹部に挿入可能な係止凸部であることを特徴とする請求項３に記載のウォーターサーバー用の注出口アダプター取付構造。
【請求項５】
前記基部に前記アダプターを取り付けたときに近接する互いの部位にマグネットを設けたことを特徴とする請求項１ないし４のいずれか１項に記載のウォーターサーバー用の注出口アダプター取付構造。
【請求項６】
前記注出口と前記チューブを連通する孔部の一部が上部から下部にかけて縮径して形成されていることを特徴とする請求項１ないし５のいずれか１項に記載のウォーターサーバー用の注出口アダプター取付構造。
【考案の詳細な説明】
【技術分野】
【０００１】
本考案は、ウォーターサーバーの注出口に送水用のチューブを取り付けるためのアダプター取付構造に関するものである。
【背景技術】
【０００２】
従来、オフィス等で飲料水を提供するためのウォーターサーバーは、様々な構造のものが知られているが、サーバー内の飲料水を外部に排出する機構については、基本的にはカップなどの容器を載置できるスペースの上部に冷水や温水を吐出するための注出口を設け、かかる注出口から容器へ直接注水するものが一般的である（特許文献１、２、３）。
【０００３】
しかしながら、かかる構造のウォーターサーバーの場合、カップなどの容器を載置するスペースの高さや幅、奥行きなどの寸法が決まっており、注出口から直接採水できる容器の寸法や形状に制約があった。そのため、例えば、載置スペースに入らない炊飯器の内釜やカップ麺の容器に注水する場合は、飲料用のカップなどに一旦注出したものを移し替えるなどの煩雑な作業が発生していた。
【先行技術文献】
【特許文献】
【０００４】
【特許文献１】特開２００３−３４１７９６
【特許文献２】特開２００９−４０４７０
【特許文献３】特開２００９−２４９０３３
【考案の概要】
【考案が解決しようとする課題】
【０００５】
そこで本考案は、注出口に送水用のチューブを取り付けることにより、容器の寸法や形状に関わらず、吐出口から直接注水することが可能なウォーターサーバー用の注出口アダプター取付構造を提供することをその課題とするものである。
【課題を解決するための手段】
【０００６】
本考案は、上記課題を解決するものであり、ウォーターサーバー本体の注出口に取り付けられた基部と、該基部に着脱自在に冠着されるアダプターとを備え、該アダプターの底面側にはチューブが取り付けられ、該基部および該アダプターには前記注出口と前記チューブを連通する孔部が貫穿されているウォーターサーバー用の注出口アダプター取付構造である。
【考案の効果】
【０００７】
本考案に係る注出口アダプター取付構造は、ウォーターサーバー本体の注出口に取り付けられた基部に対し、アダプターで簡易にチューブを着脱できるため、載置スペースに入らない容器に対しても、注出口に取り付けられたチューブを介して直接注水することができる。
【０００８】
また、本考案に係る注出口アダプター取付構造で、アダプターと基部にそれぞれ係止手段が設けられているものは、アダプターの着脱をワンタッチで行うことができる。
【０００９】
また、本考案に係る注出口アダプター取付構造で、近接するアダプターと基部の各部位にマグネットを設けたものは、より簡易にアダプターの固定をすることができる。
【図面の簡単な説明】
【００１０】
【図１】本考案に係るウォーターサーバー用の注出口アダプター取付構造の断面図
【図２】本考案に係るウォーターサーバー用の注出口アダプター取付構造の取付基部の斜視図
【図３】本考案に係るウォーターサーバー用の注出口アダプター取付構造の使用状態を表す斜視図
【考案を実施するための形態】
【００１１】
以下、本考案の包装容器を、図面に基づいて具体的に説明する。なお、本考案はこれら実施態様に何ら制約されるものではない。
【００１２】
本実施態様のウォーターサーバー用の注出口アダプター取付構造について、ウォーターサーバーの一例を挙げて説明する。図３に示すように、ウォーターサーバー４は、本体４１の前面に飲料カップなどの容器類を載置するための載置スペース４２が設けられている。そして、かかる載置スペース４２の天井部４３には、飲料水を吐出するための注出口が形成されており、かかる注出口に対して本考案に係るアダプター取付構造により、チューブ３を取付け、載置スペース４２に置くことができない容器等に対して直接注水することが可能となる。
【００１３】
図１は、本考案に係るウォーターサーバー用の注出口アダプター取付構造の断面図である。図に示すように、本考案の注出口アダプター取付構造は、ウォーターサーバー４の注出口に取り付けられた基部１と、該基部１に着脱自在に冠着されるアダプター２とを備え、アダプター２の底面側にはチューブ３が取り付けられ、基部１とアダプター２にはサーバーの注出口とチューブ３とを連通する孔部１２、２３、２４が貫穿されている。以下、各部品について詳述する。
【００１４】
基部１は、その中央に孔部１２が貫穿された略円筒形に形成されており、その周壁１１の上端側の一部からはネジ穴１４を有する固定部１３が突設されている。かかる固定部１３のネジ穴１４にボルト１７を挿通して載置スペース４２の天井部４３に取り付けるが、ウォーターサーバー４への取付方法はこれに限定されるものではない。孔部１２は、基部１内に縦方向に貫通形成されており、天井部４３より略垂設されたウォーターサーバーの注出口である注出用パイプ４４が挿入されている。
【００１５】
また、図２に示すように、周壁１１の外周面には、アダプター２との係止手段として、下端から中程にかけて上昇し、且つ、周方向に延伸するガイド溝１５が凹設されている。また、かかるガイド溝１５の先端には、ガイド溝１５よりもやや深く窪んだ係止凹部１６が凹設されている。なお、ガイド溝１５は、後述するアダプター２の係止凸部２５が該溝内を移動できるだけの摺動抵抗を付与する深さに形成されており、一方、係止凹部１６は、係止凸部２５が完全に没入できる深さに形成されている。
【００１６】
アダプター２は、基部１の底面側より冠着できるよう、天面側に基部１を挿入するための凹陥部２２が形成されており、凹陥部２２の中央には、アダプター２の底面にかけて孔部２４および孔部２３が貫穿されている。アダプター２の底面側に形成された孔部２３は、チューブ３の端部を挿入して取付可能に設けられ、基部１にアダプター２を取り付けたときに、孔部２４は基部１の孔部１２と連通し、注出用パイプ４４から排出された水を孔部２３に取り付けられたチューブ３内に誘導する。なお、水をチューブ３内に確実に誘導するために、図のように、孔部２４を上部から下部にかけて縮径して形成することが好ましい。なお、チューブ３のアダプター２に対する固定方法はこの実施態様に限定されず、例えば、アダプター２の底面まで孔部２４を連続して設け、かかる孔部２４の開口の周囲に円筒状の周壁を垂下し、かかる周壁をチューブ３の端部開口内に挿入して固定しても良い。
【００１７】
さらに、凹陥部２２の内周面には、基部１との係止手段として、基部１の外周壁に形成された係止凹部１６に挿入可能な突起状の係止凸部２５が設けられている。かかる係止凸部２５は、アダプター２の基部１への取付時にガイド溝１５内を摺動し、係止凹部１６に到達して該凹部内に収納されることにより係止される。
【００１８】
アダプター２の基部１に対する取り付け方法は以下の通りである。まず、基部１の底面側よりアダプター２の凹陥部２２内に挿入させていく。そして、基部１の周壁１１下端に係止凸部２５が接するまで挿入されたら、ガイド溝１５内へと係止凸部２５を進入させる。本実施態様の場合、ガイド溝１５は周壁１１下端より上昇しつつ周方向右側へ延伸して形成されているので、アダプター２を上昇させつつ右方向へ捻るようにすると、ガイド溝１５に係止凸部２５が導かれ、およそ９０°右回転した段階で係止凸部２５は係止凹部内１６に収納される。これにより、アダプター２は基部１に対して固定される。また、アダプター２を取り外すときは、上記の手順と逆に、アダプター２を左方向へ捻ることにより係止凹部１６と係止凸部２５の係止を外し、そのまま捻りながら下降させると、係止凸部２５がガイド溝１５を通って、周壁１１下端でガイド溝１５からを開放され、アダプター２を取り外すことができる。このように、本実施態様に係るアダプター２の基部１への着脱はワンタッチで行うことができる。
【００１９】
また、基部１とアダプター２には、それぞれマグネットを設け、それらの磁力により互いに吸着固定させても良い。例えば、基部１にアダプター２を取り付けたときに近接する互いの部位にマグネット１８、２６を埋設し、かかるマグネットの吸着力によりアダプター２を簡易に固定することも可能である。なお、アダプター２の固定をより確実にするために、上述の係止手段との組み合わせで固定しても良い。  
【００２０】
本考案に係るウォーターサーバー用の注出口アダプター取付構造によれば、飲料カップなどに直接注水する通常使用時には、アダプター２を取り付けることなく、注出ノズル４４の吐出口の下にカップ類を置いて注水すればよい。そして、載置スペース４２に置くことができない容器等に対して直接注水する場合は、基部１にアダプター２を取付け、注出ノズル４４より排出された水をチューブ３へと送水し、チューブ３を介して容器へ注水すればよい。  
【符号の説明】
【００２１】
１……取付基部
２……アダプター
３……チューブ
４……ウォーターサーバー
１１……周壁
１２……孔部
１３……固定部
１４……ネジ穴
１５……ガイド溝
１６……係止凹部
１７……ボルト
１８……マグネット
２１……周壁
２２……凹陥部
２３……孔部
２４……孔部
２５……係止凸部
２６……マグネット
４１……ウォーターサーバー本体
４２……載置部
４３……天井部
４４……注出用パイプ
【図１】
0003187220.tif 000003
【図２】
0003187220.tif 000004
【図３】
0003187220.tif 000005